(57)【要約】【課題】ワンタッチで開閉可能な包装容器を組み立て容易な構造とする。【解決手段】上底面板２，３、左右側面板４，５で四方を包囲して、その一方端面を閉じる端面板６を開閉可能とした紙製の包装容器１において、前記一方端面板６を底面板３の端縁３ａに折曲自在に設け、その一方端面板６の上縁６ａには調整片１５を挟んで係止片１６を延設する。その調整片１５及び係止片１６を上縁６ａから内側に折り込んで、係止片１６は底面板３に沿って接するようにし、その係止片１６を底面板３に向かって押さえる張出片１３を設けて、一方端面板６を底面板３の端縁３ａから上方へ立ち上げて封止する。その一方端面板６の開閉とともに係止片１６は張出片１３に摺動し、再度端面板６を完全に閉じた際には、張出片１３下方の突起１４が係止片１６の凹部１７に嵌まって一方端面板６が係止される。一連の開閉がワンタッチで可能であり、また、包装容器の組み立ても簡単である。【選択図】図１
2005324810.tif 000002
【特許請求の範囲】
【請求項１】
上面板２、底面板３、左右側面板４，５で四方を包囲して、その一方の端面を閉じる端面板６を開閉可能とした紙製の包装容器１において、
前記一方端面板６を底面板３の端縁３ａに折曲自在に設け、その一方端面板６の上縁６ａには係止片１６を延設し、前記一方端面板６を底面板３の端縁３ａから上方へ立ち上げるとともにその係止片１６を一方端面板６の上縁６ａから内側に折り込んで、前記係止片１６が底面板３に沿って接するようにし、その折り込んだ係止片１６を底面板３に向かって押さえる張出片１３を前記左側面板４又は右側面板５のいずれかに設け、前記一方端面板６を開閉するとともに前記係止片１６が張出片１３に摺動することを特徴とする包装容器。
【請求項２】
前記張出片１３に下方に突出する突起１４を設け、係止片１６には凹部１７を設け、前記一方端面板６の開閉とともに、その張出片１３が前記係止片１６に摺動し、前記凹部１７に突起１４が嵌まることにより前記一方端面板６を係止することを特徴とする請求項１に記載の包装容器。
【請求項３】
前記包装容器１は一枚のブランクから構成され、前記底面板３の一方側縁に側面板５を介して上面板２を連結し、その底面板３の他方側縁には補助側面板４’を連設するとともに、前記上面板２の他方側縁には他方側面板４を連設して、その補助側面板４’内面と他方側面板４外面とを貼着して形成されるものであり、
前記張出片１３は、他方側面板４から折目線ｒを介して内側に向かって折り込まれて形成され、前記突起１４は、その張出片１３において、折目線ｒから内側に突出して設けられた切目線ｃを介して設けられ、前記凹部１７は、係止片１６端縁に設けた切欠き１０によって形成されることを特徴とする請求項１又は２に記載の包装容器。
【請求項４】
前記係止片１６は、前記一方端面板６の上縁６ａに延設された調整片１５先端において、その上縁６ａに沿う折目線ｓを介して設けられ、一方端面板６が前記包装容器１の一方端面を閉じた状態で、その折目線ｓは張出片１３の一方側端縁１３ａよりも他方側に位置することを特徴とする請求項３に記載の包装容器。
【請求項５】
前記上面板２の一方側端縁２ａに切目線ｅを介して蓋板６’を折曲自在に設け、その蓋板６’は、前記一方端面板６を閉じた後、その切目線ｅを介して前記一方端面板６外側に折り曲げられて、蓋板６’の内面が一方端面板６の外面に貼着されるようになっており、前記切目線ｅは、その一部を前記端縁２ａから上面板２側に突出させて掴み部ｄとしたことを特徴とする請求項３又は４に記載の包装容器。
【発明の詳細な説明】
【技術分野】
【０００１】
この発明は、菓子などを収容するための包装容器に関するものである。
【背景技術】
【０００２】
一般に、チョコレートやキャンディーなど小粒の菓子を収容する包装容器として、一方の端面板を開放し得るようにした箱内に、その菓子を両端面板間を結ぶ方向に並べて収容し、その一方端面板を開放することにより、端部に位置する菓子から順に外へ取り出しできるようにしたものが普及している。
【０００３】
例えば、図６に示すように、上面板２２、底面板２３、左右側面板２４，２５及びその端面を閉じる端面板２６からなる包装容器２０において、左右側面板２４，２５の各端縁にサイドフラップ２７，２７を連設し、各サイドフラップ２７，２７には、前記底面板２３と端面板２６とが交わる頂点を始点として４５度方向に延びる折目線ｔを形成する。その端面板２６のさらに外側には押圧板２８、糊代２９を連設しており、その押圧板２８の長さ（ブランクを展開した状態において両側端面板を結ぶ方向の長さ）は、端面板２６の長さよりも長くなっている。この押圧板２８を、図示するように内側に折り込んで糊代２９を底面板２３に貼り付けて固定し、端面板２６に対して押圧板２８が内側に幾分浮き上がった状態にする。
【０００４】
この端面板２６を容器の端面開口に向かって折り込むと、サイドフラップ２７に設けた４５度の折目線ｔが側面板２４，２５の端縁を越えて内側に入り込む際に、サイドフラップ２７が弾性変形する。そのとき、押圧板２８の作用により、そのサイドフラップ２７の変形を解消し得るように端面板２６が箱内に引き込まれるようになっている。このため、その包装容器２０の端面を閉じた状態で、端面板２６がロックされ、一度開封した端面板２６を再度閉じて固定することが可能である（例えば、特許文献１参照）。
【特許文献１】特開２００２−３２１７３３号公報
【発明の開示】
【発明が解決しようとする課題】
【０００５】
しかし、上記図６に示す包装容器２０は、前記押圧板２８及び糊代２９を端面板２６上縁より内側に折り込んだ後、その糊代２９を底面板２３の所定位置に貼着する必要がある。このとき、押圧板２８が端面板２６に対して内側へ浮き上がった状態で固定しなければならないため、この貼着の際には、糊代２９の位置決めが必要となり、各片の折り込み作業が複雑となる。また、各側面板２４，２５から延びるサイドフラップ２７の形状が複雑であることも、折り込み作業の複雑にする要因となる。
【０００６】
そこで、この発明は、一度開封した端面板を再度閉じて固定可能とするとともに、その包装容器を組み立て容易な構造とすることを課題とする。
【課題を解決するための手段】
【０００７】
上記の課題を解決するために、この発明は、開閉可能な端面板にその端面板の開閉とともに連動して動く係止片を設けて、その係止片を包装容器内の張出片で押さえたのである。このようにすれば、一度開放した端面板を再度その端面板を閉じる方向へ押し込めば、係止片と張出片とが摺動することにより、その摺動摩擦により所定の位置で端面板を係止し得るので、包装容器を簡単に封止して、且つ開かないように固定することができる。
【０００８】
具体的な構成は、上面板、底面板、左右側面板で四方を包囲して、その一方の端面を閉じる端面板を開閉可能とした紙製の包装容器において、前記一方端面板を底面板の端縁に折曲自在に設け、その一方端面板の上縁には係止片を延設する。その一方端面板を底面板の端縁から上方へ立ち上げるとともにその係止片を一方端面板の上縁から内側に折り込んで、前記係止片が底面板に沿って接するようにし、その折り込んだ係止片を底面板に向かって押さえる張出片を前記左側面板又は右側面板のいずれかに設け、前記一方端面板を開閉するとともに前記係止片が張出片に摺動するようにしたのである。
【０００９】
このようにすれば、端面板の開閉に伴い係止片と張出片とが摺動することにより、適宜の開放度合いの位置で端面板を係止でき、また、端面板から延びる部材を容器内に位置決めして糊付け等することなく、簡単で組立容易な構造とし得る。
【００１０】
つぎに、その係止片と張出片とを所定の位置で噛み合わせ、端面板をその所定位置で強固に固定し得るようにしたのである。具体的な構成としては、前記張出片に下方に突出する突起を設け、前記係止片には凹部を設け、前記一方端面板の開閉とともに、その張出片が前記係止片に摺動し、前記凹部に突起が嵌まることにより両者を噛み合わせ、前記一方端面板を係止するものである。
【００１１】
このようにすれば、所定の位置で前記凹部と突起が噛み合ってその位置で端面板を係止することができる。このため、その端面板が包装容器の端面を完全に閉じる位置で両者が噛み合うようにすれば、容器の開閉を繰り返し行う際にも、その開閉の都度、端面板を閉じた状態でしっかりと固定することが可能となる。なお、凹部の形成方法は、前記係止片の外縁に切欠きを、あるいは、係止片のいずれかの場所に孔又は凹状の窪みを適宜設ければよく、突起の形成方法は、前記張出片の下面において前記係止片の凹部に対応する位置に適宜の方法で設ければよい。
【００１２】
また、上記の態様において、前記包装容器を１枚のブランクから構成したものを採用し得る。その構成は、前記底面板の一方側縁に側面板を介して上面板を連結し、その底面板の他方側縁には補助側面板を連設するとともに、前記上面板の他方側縁には他方側面板を連設して、その補助側面板内面と他方側面板外面とを貼着して形成する。前記張出片は、他方側面板から折目線を介して内側に向かって折り込まれて形成され、前記突起は、その張出片において、折目線から内側に突出して設けられた切目線を介して設けられる。また、前記凹部は、係止片端縁に設けた切欠きによって形成されるようにする。
【００１３】
このようにすれば、側面板に対して張出片を内側に折り込むと、切目線の内側部分だけは、側面板に対してなお折り曲げ前の状態に戻ろうとする弾性力が大きく作用するので、その張出片の下面に係止片が宛がわれた際に、切目線の内側部分が係止片に向かって突出する突起となって機能し得る。このため、１枚のブランクから容器を組み立てる際に、その組み立てと同時に突起を容易に形成することができ、また、その組み立ての際に、端面板やそれに付属する係止片の位置決め、糊付け等が不要であり箱を組み立てしやすい。
【００１４】
さらに、上記１枚のブランクからなる構成において、前記係止片は、前記一方端面板の上縁に延設された調整片先端において、その上縁に沿う折目線を介して設けられ、一方端面板が前記包装容器の一方端面を閉じた状態で、その折目線は張出片の一方側端縁よりも他方側に位置するようにした構成を採用し得る。このようにすれば、端面板を完全に閉じようとする際に、調整片が張出片の一方側端縁に当接するようになるので、一方端面板が所定の位置で係止されやすくなり、一方端面板及び係止片の過度な押し込みを防止し得る。
【００１５】
また、前記上面板の一方端縁に切目線を介して蓋板を折曲自在に設け、その蓋板は、前記一方端面板を閉じた後、前記切目線を介してその一方端面板外側に折り曲げられて、蓋板の内面が一方端面板の外面に貼着されるようにし、前記切目線は、その一部を前記端縁から上面板側に突出させて掴み部とした構成を採用し得る。このようにすれば、蓋板を一方端面板に沿って折り曲げると、掴み部が一方端面板の上縁より上方へ立ち上がるので、指が引っかかりやすくなる。このため、その掴み部に指を掛けて蓋板を外側に引けば、蓋板と一方端面板が一体に開いて包装容器を容易に開放し得るようになる。また、一端開封した後に、その端面板及び蓋板を再開閉する際にも、その効果は同様である。
【発明の効果】
【００１６】
この発明は、以上のようにしたので、一度開封した端面板を再度閉じて固定可能とするとともに、その包装容器を組み立て容易な構造とし得る。
【発明を実施するための最良の形態】
【００１７】
一実施形態を図１乃至図５に示す。この実施形態の包装容器は、図５の展開図に示すブランクから組み立てて構成される紙製の包装容器１である。そのブランクの構成は、底面板３の一方側縁に右側面板（一方側面板）５を介して上面板２の一方側縁とを連結し、その底面板３の他方側縁には補助側面板４’を連設するとともに、前記上面板２の他方側縁には左側面板（他方側面板）４を連設する。
【００１８】
さらに、ブランクは、図５に示すように、包装容器１の一方の端面を閉じる端面板６を、底面板３の端縁３ａから外側に延設して、その一方端面板６のさらに外側には、折目線となる上縁６ａを介して調整片１５が設けられる。また、その調整片１５の先端には、前記上縁６ａに沿って平行な折目線ｓを介して係止片１６が設けられる。係止片１６は、前記一方端面板６よりもその幅（ブランクを展開した状態において両側面板を結ぶ方向の長さ）がやや狭いものとなっており、その一方端面板６と係止片１６と間に位置する調整片１５は、図５に示すように、左右両側辺１２，１２をそれぞれやや傾斜させて、幅が先端に向かうほど狭くなるようにして形成している。また、底面板３の他方の端縁には端面板７を延設し、上面板２の一方端縁には蓋板６’を、他方端縁には蓋板７’をそれぞれ延設し、右側面板５の他方の端縁には折込片８を、左側面板４の他方の端縁には折込片９を延設している。
【００１９】
また、左側面板４には、張出片１３が連設されており、その張出片１３は、包装容器１を組み立てた状態において、その左側面板４から折目線ｒを介して内側に向かって折り込み可能となっている。その張出片１３には、図５に示すように、折目線ｒから内側に向かって弧状に突出する切目線ｃが形成され、その切目線ｃ内側部分が折目線ｒを介して張出片１３に起伏可能となる突起１４を成している。
【００２０】
一方端面板６は、前記底面板３の端縁３ａを介して折曲自在となっており、蓋板６’は、前記上面板２の一方側端縁２ａに切目線ｅを介して折曲自在に設けられる。その切目線ｅは、前記幅方向中程において、前記端縁２ａから上面板２側に弧状に突出させた形状として掴み部ｄを形成し、また、端面板６の上縁６ａには、その掴み部ｄに沿って形成される弧状の端面板掴み部ｆが切目線によって形成されている。
【００２１】
また、係止片１６には、図１に示すように、その左側面板４側の側方端縁に切欠き１０を設けて、係止片１６が底面板３に接した際には、この切欠き１０をもって係止片１６上面から底面板３に至る凹部１７を形成するようになっている。
【００２２】
包装容器１を組み立てる際には、まず、図５のブランクの調整片１５及び係止片１６を一方端面板６の上縁６ａを介して内側に折込み、係止片１６が底面板３に接するようにする。この状態で、底面板３に前記補助側面板４’及び右側面板５を立ち上げ、さらに上面板２及び左側面板４を内側に折り込んで、前記補助側面板４’内面と左側面板４外面とを貼着して筒状に形成する。このとき、張出片１３及び突起１４は、左側面板４から折目線ｒを介して内側に向かって折り込まれて前記係止片１６上に位置し、その折り込みによる紙の弾性力でもって、係止片１６を底面板３に向かって押さえつけるようになる。なお、突起１４は、前記折目線ｒからの突出距離が僅かであるので、折り込み前の状態に復元しようとする弾性力が張出片１３よりも大きく作用することとなる。
【００２３】
つぎに、包装容器１内に適宜収容物を収めた後、他方端面において、折込辺８，９を内側に折り込んで、他方端面板７を底面板３の端縁から上方へ立ち上げ、その外側に蓋板７’を折り曲げて、他方端面板７の外面と蓋板７’の内面とを貼着する。
【００２４】
また、一方端面において、一方端面板６を底面板３の端縁３ａから上方へ立ち上げる。このとき、前記係止片１６は底面板３に沿って接しているとともに、前記張出片１３によって底面板３に向かって押さえられているので、前記一方端面板６を底面板３の端縁３ａから立ち上げるとともに、調整片１５は、折目線ｓを介して図１に示すように立ち上がって傾斜する。このとき、一方端面板６がその一方端面を完全に閉じた図４（ｂ）に示す状態で、その折目線ｓは張出片１３の一方側端縁１３ａよりも他方側に位置しており、傾斜した状態にある調整片１５は、前記張出片１３の一方側端縁１３ａに当接する。このため、一方端面板６はその位置で係止され、それ以上奥へは押し込みできないようになる。
【００２５】
さらに、係止片１６は、張出片１３と底面板３との間に挟まって、包装容器１の両端面間を結ぶ方向に摺動しながら移動するので、図４（ｂ）に示す一方端面板６を完全に閉じた状態において、図４（ａ）に示すように、張出片１３の突起１４が係止片１６の凹部１７に嵌って噛み合うようになる。このため、一方端面板６は、より強固に固定される。また、係止片１６は、端面板６よりもやや幅が狭くなっているので、包装容器１内において、左右両側面板４，５に当たらずにスムースに進退し得るようになっている。
【００２６】
このように、一方端面板６を閉じた後、上面板２の端縁２ａより切目線ｅを介して蓋板６’をその一方端面板６外側に折り曲げて、蓋板６’の内面を一方端面板６の外面に貼着し、図２に示すように包装容器１の封止が完了する。この状態で、適宜フィルム等により外装が施されて販売ルートに載せられる。
【００２７】
この商品の需要者、消費者がこの包装容器１を開封する際には、図２に示す蓋板６’の掴み部ｄに指を掛け、図１に示す矢印のように、一体にされた前記一方端面板６と蓋板６’とを外側に向かって倒す。掴み部ｄは、切目線ｅが上面板２の一方端縁２ａよりも上面板２側へやや突出して形成されているので、包装容器を組み立てた図４（ｂ）に示す状態においては、端面板６の上縁６ａ及びその上面板２よりも上方へ突出した状態にある。このため、指を掛けやすいという効果がある。また、一方端面板６には、その掴み部ｄに沿って形成される弧状の端面板掴み部ｆが切目線によって形成されているので、同様の効果が期待されるほか、その掴み部ｄ及び端面板掴み部ｆとが重ねられて剛性が高まる。このため、繰り返し開閉を行う際にも、その指を掛ける部分が折れたり痛んだりすることを防いでいる。
【００２８】
この開封の動作において、係止片１６は、図１に実線から鎖線で示す位置へと移動し、凹部１７に嵌って噛み合っていた突起１４は、その噛み合わせが解除される。このとき、一方端面板６及び蓋板６’の開放操作は、ワンタッチで可能であり、図３に示すように、包装容器１が開封された後、内部の収容物が取り出される。
【００２９】
包装容器１を再度閉じる際には、端面板６及び蓋板６’を図１の矢印と反対方向へと立ち上げる。このとき、包装容器１を組み立てる際と同様な効果により、係止片１６は張出片１３及び底面板３に挟まれて張出片１３に摺動し、その一方端面板６及び蓋板６’が適宜の開放度合いの位置において係止しやすくなっており、また、一方端面板６及び蓋板６’を押し込んで完全に閉じた際には、図４（ａ）（ｂ）に示すように、前記突起１４が凹部１７にカチッと嵌って両者が噛み合って、一方端面板６及び蓋板６’が開かないように係止する。この端面板６及び蓋板６’の立ち上げ、及び押し込み操作も、ワンタッチで可能である。
【００３０】
この実施形態では、蓋板６’に弧状の掴み部ｄ、一方端面板に同じく弧状の端面板掴み部ｆを設けたが、この実施形態には限定されず、両掴み部ｄ，ｆの形状，位置，大きさは自由である。また、必要に応じて、その一方、あるいは両者を省略してもよい。
【００３１】
また、突起１４の形状、位置、大きさも自由であり、それに対応する凹部１７の形状、位置、大きさも自由である。例えば、この実施形態では、凹部１７は切欠き１０によって係止片１６の端縁に設けられたが、突起１４の位置に対応している限りにおいて、端縁以外の部分に孔状に設けてもよく、あるいは、係止片１６の上面にエンボス加工することにより凹部１７を形成してもよい。さらに、突起１４は、この実施形態のように、切目線ｃにより形成してもよいが、別途張出片１３の下面に突起１４を貼り付ける等して形成してもよい。もちろん、この噛み合わせの機能を望まない場合には、突起１４と凹部１７の形成を省略してもよい。
【００３２】
なお、張出片１３の形成方法は、この実施形態のブランクには限定されず、前記左側面板４又は右側面板５のいずれかより折り曲げられて、包装容器内に張り出して設けられていればよい。また、張出片１３をブランクと一体に形成した手法以外にも、そのブランクを構成する部材とは別に、張出片を包装容器内に取り付けるようにしてもよい。
【図面の簡単な説明】
【００３３】
【図１】一実施形態の一部切欠要部拡大斜視図
【図２】同実施形態を示す斜視図
【図３】図２の開放状態を示す斜視図
【図４】（ａ）は図２のＡ−Ａ断面図、（ｂ）は図２のＢ−Ｂ断面図
【図５】同実施形態のブランクを示す展開図
【図６】従来例の斜視図
【符号の説明】
【００３４】
１，２０  包装容器
２，２２  上面板
２ａ，３ａ，１３ａ  端縁
３，２３  底面板
４，２４  左側面板
４’  補助側面板
５，２５  右側面板
６，７  端面板
６’，７’  蓋板
６ａ  上縁
８，９  折込片
１０  切欠き
１１  孔
１３  張出片
１４  突起
１５  調整片
１６  係止片
１７  凹部
ｃ，ｅ  切目線
ｄ  掴み部
ｆ  端面板掴み部
ｒ，ｓ，ｔ  折目線
【図１】
2005324810.tif 000003
【図２】
2005324810.tif 000004
【図３】
2005324810.tif 000005
【図４】
2005324810.tif 000006
【図５】
2005324810.tif 000007
【図６】
2005324810.tif 000008